(57)【要約】【課題】可変転送レートで圧縮記録された圧縮データを再生する圧縮データ再生装置における早送り又は巻き戻し再生を違和感無く行うことが可能な圧縮データの早送り又は巻き戻し再生方法を提供する。【解決手段】記録媒体１８のトラックに可変転送レートにより圧縮記録されたオーディオデータを読み出し、読み出したオーディオデータをデコーダ１６に転送して再生するオーディオデータ再生装置１における早送り又は巻き戻し再生方法であって、マイコン１３の制御により、光ピックアップ１１が可変転送レートの最大値を用いてオーディオデータを早送り又は巻き戻し方向に一定時間分ずつ間欠に読み出し、該間欠に読み出したオーディオデータをバッファ１５に格納し、バッファ１５に格納したオーディオデータを可変転送レートにより一定時間ずつデコーダに転送する。【選択図】  図１
2004206757.tif 000002
【特許請求の範囲】
【請求項１】
ディスク状の記録媒体のトラックに可変転送レートにより圧縮記録された圧縮データを読み出し、前記読み出した圧縮データをデコーダに転送して再生する圧縮データ再生装置における早送り又は巻き戻し再生方法であって、
前記可変転送レートの最大値を用いて前記圧縮データを前記早送り又は巻き戻し方向に一定時間分ずつ間欠に読み出すステップと、
前記間欠に読み出した圧縮データを、前記可変転送レートにより前記一定時間ずつ前記デコーダに転送するステップとを有する圧縮データの早送り又は巻き戻し再生方法。
【請求項２】
ディスク状の記録媒体のトラックに可変転送レートにより圧縮記録された圧縮データを読み出し、前記読み出した圧縮データをデコーダに転送して再生する圧縮データ再生装置における早送り又は巻き戻し再生方法であって、
前記早送り又は巻き戻しの際に、前記圧縮データを間欠再生するために、前記可変転送レートの最小値と最大値との中間値で換算した一定時間分の圧縮データをスキップしながら、前記圧縮データを前記早送り又は巻き戻し方向に間欠に読み出すステップを有する圧縮データの早送り又は巻き戻し再生方法。
【請求項３】
請求項１又は２記載の方法における各ステップを実行制御する手段を備えた半導体集積回路。
【請求項４】
請求項３記載の半導体集積回路を備えた圧縮データ再生装置。
【発明の詳細な説明】
【０００１】
【発明の属する技術分野】
本発明は、ディスク状の記録媒体のトラックに可変転送レートにより圧縮記録された圧縮データを再生する圧縮データ再生装置における早送り又は巻き戻し再生方法、該再生方法を実現する半導体集積回路、及び該半導体集積回路を備えた圧縮データ再生装置に関する。
【０００２】
【従来の技術】
図５は、従来のオーディオデータ再生装置の構成を示す図である。オーディオデータ再生装置５は、光ピックアップ５１、ドライバ５２、マイコン５３、バッファコントローラ５４、バッファ５５、デコーダ５６、及びサーボＬＳＩ５７を備えて構成される。又、オーディオデータ再生装置５には、同図に示したようにＣＤ（Compact Disc）等のディスク状の記録媒体５８が装着可能となっている。記録媒体５８には、データを効率良く圧縮するために、可変転送レートにより圧縮されたオーディオデータ（圧縮データ）が記録されている。
【０００３】
上記のように構成されたオーディオデータ再生装置５において、オーディオデータを早送り又は巻き戻し再生する際の動作を図５及び図６を参照して説明する。
図６（ａ）は、従来のオーディオデータ再生装置における早送り再生時のオーディオデータ読み出し動作を説明するための図、（ｂ）は、従来のオーディオデータ再生装置における早送り再生時のオーディオデータ再生動作を説明するための図である。
【０００４】
ユーザにより早送り再生の指示があると、オーディオデータ再生装置５は、デコーダ５６により現在デコードしているオーディオデータの転送レートを用いて、一定時間分のオーディオデータＸ１を光ピックアップ５１を移動して読み込み、読み込んだオーディオデータＸ１をマイコン５３を介してバッファ５５に格納する。
【０００５】
読み込んだオーディオデータＸ１をバッファ５５に格納すると、光ピックアップ５１は、所定時間分のオーディオデータＹ１をスキップする。スキップした後は、その位置での転送レートを用いて一定時間分のオーディオデータＸ２を光ピックアップ５１を移動して読み込み、読み込んだオーディオデータＸ２をマイコン５３を介してバッファ５５に格納する。オーディオデータ再生装置５は、これらの動作を早送りの指示がある間繰り返し行うことで、オーディオデータＸ１、Ｘ２、・・・を間欠に読み込んで、バッファ５５に格納していく。
【０００６】
オーディオデータ再生装置５は、このようにしてバッファ５５に格納した間欠のオーディオデータＸ１、Ｘ２、・・・をデコーダ５６に可変転送レートによって転送し、順次デコードしていくことにより、早送り再生を行っている。
【０００７】
【特許文献１】
特開平７−１４７５４５号公報
【０００８】
【発明が解決しようとする課題】
上記のように、可変転送レートにより圧縮記録されたオーディオデータを早送り再生する場合、図６（ａ）に示したように、オーディオデータを読み出す時点での転送レートで換算した一定時間分のオーディオデータが読み出され、バッファ５５に格納されている。このため、バッファ５５に格納されたオーディオデータＸ１、Ｘ２、・・・の各々をデコーダ５６によりデコードする際の、バッファ５５からデコーダ５６へのデータ転送レートの値によっては、各オーディオデータの再生時間が長くなったり短くなったりしてしまう。
【０００９】
例えば、図６において、オーディオデータＸ１は、転送レートが３２０ｋｂｐｓで５ｓｅｃの間読み出したデータであるとすると、そのデータ量は３２０×５＝１６００ｋｂｉｔとなる。
【００１０】
一方、この１６００ｋｂｉｔのオーディオデータをバッファ５５からデコーダ５６に転送する際の転送レートが３２ｋｂｐｓであったとすると、オーディオデータＸ１の再生にかかる時間は、１６００ｋｂｉｔ／３２ｋｂｐｓ＝５０ｓｅｃとなり、実際に読み出したオーディオデータの再生時間の１０倍も再生してしまうことになる。
【００１１】
このように、可変転送レートにより記録媒体に圧縮記録されたオーディオデータでは、早送り再生用に読み出したオーディオデータの再生時間が、デコード時の転送レートによって変化してしまうため、ある再生位置では音楽の再生が中々進まずイライラしたり、ある再生位置では音楽の再生が直ぐに終わってしまって、曲内容の確認ができなかったりするという問題点があった。
【００１２】
本発明は上記従来の問題点を解決するためのものであり、可変転送レートで圧縮記録された圧縮データを再生する圧縮データ再生装置における早送り又は巻き戻し再生を違和感無く行うことが可能な圧縮データの早送り又は巻き戻し再生方法を提供することを目的とする。
【００１３】
【課題を解決するための手段】
本発明の圧縮データの早送り又は巻き戻し再生方法は、ディスク状の記録媒体のトラックに可変転送レートにより圧縮記録された圧縮データを読み出し、前記読み出した圧縮データをデコーダに転送して再生する圧縮データ再生装置における早送り又は巻き戻し再生方法であって、前記可変転送レートの最大値を用いて前記圧縮データを前記早送り又は巻き戻し方向に一定時間分ずつ間欠に読み出すステップと、前記間欠に読み出した圧縮データを、前記可変転送レートにより前記一定時間ずつ前記デコーダに転送するステップとを有する。
【００１４】
この方法によれば、早送り又は巻き戻しのために間欠に読み出した圧縮データは、可変転送レートの最大値を用いた一定時間分のデータであるため、読み出した圧縮データをデコーダに転送する際の転送レートが、該可変転送レートの最大値から最小値の間で変化しても、最低限、一定時間分の圧縮データをデコードして再生することができる。したがって、早送り又は巻き戻し再生時に間欠に読み出した圧縮データの再生時間を一定にすることができる。
【００１５】
本発明の圧縮データの早送り又は巻き戻し再生方法は、ディスク状の記録媒体のトラックに可変転送レートにより圧縮記録された圧縮データを読み出し、前記読み出した圧縮データをデコーダに転送して再生する圧縮データ再生装置における早送り又は巻き戻し再生方法であって、前記早送り又は巻き戻しの際に、前記圧縮データを間欠再生するために、前記可変転送レートの最小値と最大値との中間値で換算した一定時間分の圧縮データをスキップしながら、前記圧縮データを前記早送り又は巻き戻し方向に間欠に読み出すステップを有する。
【００１６】
本発明の半導体集積回路は、前記ステップを実行制御する手段を備える。
【００１７】
本発明の圧縮データ再生装置は、前記半導体集積回路を備える。
【００１８】
【発明の実施の形態】
以下、本発明の実施形態について図面を参照して説明する。
（第一実施形態）
図１は、本発明の第一実施形態に係るオーディオデータ再生装置の構成を示すブロック図である。
オーディオデータ再生装置１は、光ピックアップ１１、ドライバ１２、マイコン１３、バッファコントローラ１４、バッファ１５、デコーダ１６、及びサーボＬＳＩ１７を備えて構成される。又、オーディオデータ再生装置１には、同図に示したようにＣＤ（Compact Disc）等のディスク状の記録媒体１８が装着可能となっている。記録媒体１８には、データを効率良く圧縮するために、可変転送レートにより圧縮されたオーディオ又はビジュアルデータ等の圧縮データが記録されている。本実施形態では、記録媒体１８に記録されている圧縮データをオーディオデータとして説明する。
【００１９】
光ピックアップ１１は、早送り又は巻き戻し再生時には、記憶媒体１８に圧縮記録されているオーディオデータを、可変転送レートの最大値を用いて一定時間ずつ早送り又は巻き戻し方向に間欠に読み出す。
【００２０】
ドライバ１２は、光ピックアップ１１駆動用のドライバである。
【００２１】
サーボＬＳＩ１７は、マイコン１３の制御によりドライバ１２を介して光ピックアップ１１を駆動させる。
【００２２】
マイコン１３は、光ピックアップ１１、ドライバ１２、バッファコントローラ１４、バッファ１５、デコーダ１６、及びサーボＬＳＩ１７を制御する。
【００２３】
バッファコントローラ１４は、マイコン１３から転送されてきたオーディオデータをバッファ１５に格納したり、バッファ１５からオーディオデータを読み出してデコーダ１６に転送したりする。
【００２４】
バッファ１５は、光ピックアップ１１によって読み出されたオーディオデータを所定のアドレスに格納する。
【００２５】
デコーダ１６は、バッファコントローラ１４から転送されてきたオーディオデータをデコードし、デコードしたオーディオデータを再生する。
【００２６】
次に、オーディオデータの早送り又は巻き戻し再生時におけるマイコン１３の制御（オーディオデータ再生装置１の動作）について、図２〜図４を参照して説明する。図２は、本発明の第一実施形態に係るオーディオデータ再生装置の早送り再生時のオーディオデータ読み出し動作を説明するためのフローチャートである。図３は、本発明の第一実施形態に係るオーディオデータ再生装置の早送り再生時の再生動作を説明するためのフローチャートである。図４（ａ）は、本発明の第一実施形態に係るオーディオデータ再生装置の早送り再生時におけるオーディオデータ読み出し動作を説明するための図、（ｂ）は本発明の第一実施形態に係るオーディオデータ再生装置の早送り再生時におけるオーディオデータ再生動作を説明するための図である。
【００２７】
ユーザによりオーディオデータの早送り指示が行われると、マイコン１３は、光ピックアップ１１を制御して、記録媒体１８から可変転送レートの最大値（例えば、ＭＰ３（MPEG-1 Audio Layer-3）においては３２０ｋｂｐｓ）を用いた一定時間（例えば５ｓｅｃ）分のオーディオデータｘ１を早送り方向に読み出し（Ｓ２０１）、読み出したオーディオデータｘ１をバッファ１５に格納する（Ｓ２０２）。
【００２８】
その後、所定時間（例えば４ｓｅｃ）分に相当するオーディオデータｙ１の読み出しを行わないために、光ピックアップ１１を４ｓｅｃの間移動させる（Ｓ２０３）。オーディオデータ再生装置１では、早送り再生時にＳ２０１〜Ｓ２０３までの動作を繰り返すことで、バッファ１５に間欠のオーディオデータを格納していく。
【００２９】
一方、バッファ１５に格納したオーディオデータを再生する場合は、１回の読み出しでバッファ１５に格納されるオーディオデータのデータ量を１ブロックと呼ぶと、マイコン１３の制御により、１ブロックのオーディオデータがバッファ１５から読み出されてデコーダ１６に転送され（Ｓ３０１）、１ブロック分のオーディオデータの再生が開始される。この場合、オーディオデータをデコーダ１６に転送する際の転送レートは、そのオーディオデータが記録媒体１８に圧縮記録された際の転送レートを用いる。つまり、バッファ１５からデコーダ１６にオーディオデータを転送する際は可変の転送レートが適用される。
【００３０】
マイコン１３は、上記転送が開始された時点でカウントを開始し（Ｓ３０２）、カウント開始から上記一定時間（５ｓｅｃ）が経過した時点（Ｓ３０３：ＹＥＳ）で、バッファ１５からデコーダ１６へのオーディオデータの転送を停止させる（Ｓ３０４）。次に、バッファ１５の読み出しアドレスを次のブロックに移動させ、そのブロックのオーディオデータをデコーダに転送させ（Ｓ３０５）、動作をＳ３０２に移行する。オーディオデータ再生装置１は、早送り再生指示が行われている間、Ｓ３０１〜Ｓ３０５の動作を繰り返すことで、記録媒体１８に記録されている各ブロックのオーディオデータを、５ｓｅｃずつ連続に再生していく。
【００３１】
以上のように本実施形態によれば、オーディオデータを間欠に読み出す際に、可変転送レートの最大値である３２０ｋｂｐｓを用いてオーディオデータを５ｓｅｃ分ずつ読み出し、読み出したオーディオデータをバッファ１５からデコーダ１６に可変転送レートにより転送して５ｓｅｃずつ再生している。
【００３２】
ここで読み出されるオーディオデータのデータ量は３２０ｋｂｐｓ＊５ｓｅｃ＝１６００ｋｂｐｓとなるため、そのオーディオデータ再生時の転送レートが、例えば図４（ｂ）に示したように２００ｋｂｐｓ、１２８ｂｐｓ、又は３２０ｋｂｐｓ等の値であっても、各ブロックにおいて、常に５ｓｅｃの間はオーディオデータを再生することが可能となる。
【００３３】
このように、早送り再生時におけるオーディオデータの再生時間を各ブロックで一定（５ｓｅｃ）にすることができるため、オーディオデータ再生装置１の早送り再生を違和感無く行うことができる。
【００３４】
尚、本実施形態では早送り時の動作についてのみ説明したが、巻き戻し時の動作についても、オーディオデータの間欠読み出し方向を巻き戻し方向にすることで同様の効果が得られる。
【００３５】
又、本実施形態では、ドライバ１２、マイコン１３、バッファコントローラ１４、バッファ１５、デコーダ１６、及びサーボＬＳＩ１７を半導体集積回路により実現している。
【００３６】
（第二実施形態）
本発明の第二実施形態に係るオーディオデータ再生装置は、図１に示したものと同様の構成であるが、早送り再生時に、光ピックアップ１１がオーディオデータをスキップする際の動作が異なるものである。以下、光ピックアップ１１がオーディオデータをスキップする際の動作について説明する。
【００３７】
本実施形態に係るオーディオデータ再生装置２は、図２に示したＳ２０３においてオーディオデータをスキップする際に、スキップさせるデータ量を、可変転送レートの最大値と最小値との間の中間値（ＭＰ３の場合は１２８ｋｂｐｓ）で換算した所定時間分としている。
【００３８】
つまり、早送り指示があった場合には、オーディオデータ再生装置２は、まず、可変転送レートの最大値である３２０ｋｂｐｓで５ｓｅｃの間オーディオデータを読み出してバッファ１５に格納し、その後、可変転送レートの最大値と最小値との間の中間値である１２８ｋｂｐｓで所定時間（４ｓｅｃ）の間オーディオデータの読み出しを行わない（スキップする）ようにしている。
【００３９】
読み出したオーディオデータの再生動作は第一実施形態と同様であるが、オーディオデータのスキップ量が、可変転送レートの最大値と最小値との間の中間値で換算した所定時間分であるため、早送り時にスキップするオーディオデータのデータ量は常に一定となる。
【００４０】
これにより、目標とする光ピックアップ１１の移動距離と、実際に間欠されるデータの再生時間との差を小さくすることができるため、オーディオデータ再生装置において早送り再生を違和感無く行うことができる。
【００４１】
尚、本実施形態では、第一実施形態で説明したオーディオデータ再生装置に、オーディオデータのスキップするデータ量を一定にする機能を付加した構成としているが、従来のオーディオデータ再生装置に、上記機能を付加する構成としても同様の効果が得られる。
【００４２】
【発明の効果】
本発明によれば、可変転送レートで圧縮記録された圧縮データを再生する圧縮データ再生装置における早送り又は巻き戻し再生を違和感無く行うことが可能な圧縮データの早送り又は巻き戻し再生方法を提供することができる。
【図面の簡単な説明】
【図１】本発明の第一実施形態に係るオーディオデータ再生装置の構成を示すブロック図
【図２】本発明の第一実施形態に係るオーディオデータ再生装置の早送り再生時におけるオーディオデータ読み出し動作を説明するためのフローチャート
【図３】本発明の第一実施形態に係るオーディオデータ再生装置の早送り再生時におけるオーディオデータ再生動作を説明するためのフローチャート
【図４】（ａ）は、本発明の第一実施形態に係るオーディオデータ再生装置の早送り再生時におけるオーディオデータ読み出し動作を説明するための図
（ｂ）は、本発明の第一実施形態に係るオーディオデータ再生装置の早送り再生時におけるオーディオデータ再生動作を説明するための図
【図５】従来のオーディオデータ再生装置の構成を示すブロック図
【図６】（ａ）は、従来のオーディオデータ再生装置の早送り再生時におけるオーディオデータ読み出し動作を説明するための図
（ｂ）は、従来のオーディオデータ再生装置の早送り再生時におけるオーディオデータ再生動作を説明するための図
【符号の説明】
１、５  オーディオデータ再生装置
１１、５１  光ピックアップ
１２、５２  ドライバ
１３、５３  マイコン
１４、５４  バッファコントローラ
１５、５５  バッファ
１６、５６  デコーダ
１７、５７  サーボＬＳＩ
１８、５８  記録媒体
【図１】
2004206757.tif 000003
【図２】
2004206757.tif 000004
【図３】
2004206757.tif 000005
【図４】
2004206757.tif 000006
【図５】
2004206757.tif 000007
【図６】
2004206757.tif 000008